(57)【要約】【課題】定着装置の立ち上げ時間の短縮化を要求するユーザに対してのみ、補助電源装置の電力供給能力を増大できる定着装置及び画像形成装置を提供する。【解決手段】電気二重層キャパシタ７２２ｂを複合機１のオプションとして蓄電装置７２２に着脱可能に構成し、キャパシタを増設可能とした。キャパシタ７２２ｂの装着前は、キャパシタ７２２ａの−側端子Ｔ２と、補助電源スイッチ７４の第２定着ヒータ７３２と接続される端子と反対側の端子Ｔ３とがハーネスにより短絡されており、キャパシタ７２２ｂを蓄電装置７２２に装着するとき、ユーザはハーネスを端子Ｔ２，Ｔ３から取り外し、キャパシタ７２２ｂの一方の端子ａと端子Ｔ２とを、キャパシタ７２２ｂの他方の端子ｂと端子Ｔ３とをそれぞれ接続する作業を行うことで、キャパシタ７２２ａ，７２２ｂが第２定着ヒータ７３２に対して直列接続される構成とした。【選択図】図４
2008033156.tif 000002
【特許請求の範囲】
【請求項１】
第１のキャパシタを有する蓄電装置と、
トナーを記録紙へ定着させる定着部を外部電源からの電力で駆動させる第１定着ヒータ及び前記定着部を前記蓄電装置からの電力で駆動させる第２定着ヒータと、
前記蓄電装置と前記第２定着ヒータとの間に設置されたコンバータとを備えた定着装置であって、
前記蓄電装置に備えられる一対の端子間に着脱可能に構成された第２のキャパシタを有し、
前記蓄電装置は、前記一対の端子を短絡する第１の状態と、前記一対の端子間の短絡状態が解除され、且つ前記第２のキャパシタが前記蓄電装置の前記一対の端子間に装着されることにより、前記第１のキャパシタと第２のキャパシタとの直列回路により前記第２定着ヒータに電力を供給する第２の状態とを採り得るように構成されている定着装置。
【請求項２】
前記コンバータは、前記蓄電装置の出力に応じて当該コンバータの出力を制御する出力制御手段を備える請求項１に記載の定着装置。
【請求項３】
前記一対の端子を短絡するハーネスが該一対の端子に対して着脱可能に構成されており、
前記蓄電装置は、前記一対の端子に、前記ハーネス及び前記第２のキャパシタを択一的に装着可能に構成されている請求項１または２に記載の定着装置。
【請求項４】
用紙に対して画像データに基づく画像形成動作を行う画像形成部と、
前記画像形成部による画像形成動作後の用紙に対して、前記用紙に付着するトナーを該用紙に定着させる前記請求項１ないし３のいずれかに記載の定着装置と
を備える画像形成装置。
【発明の詳細な説明】
【技術分野】
【０００１】
本発明は、画像形成装置において用紙等の転写材に転写されたトナー像を当該転写材へ定着させる定着処理を施す定着装置及び該定着装置を備えた画像形成装置に関するものである。
【背景技術】
【０００２】
紙等の記録媒体上にトナーを定着させることにより画像を形成する装置として、プリンタ、複写機、ファクシミリあるいはこれら各機器の機能を複合化した複合機等の画像形成装置があり、この画像形成装置には、通常、用紙等の転写材に転写されたトナー像を当該転写材へ定着させる定着処理を施す定着装置が搭載されている。この定着装置は、定着ローラと加熱部を主な構成要素とするものである。定着ローラは互いの周面が密着した状態で平行対峙する一対のローラであり、加熱部は、上記一対の定着ローラのうち、記録媒体のトナー側に位置する定着ローラ（加熱ローラ）を加熱するものである。このように構成された定着装置は、一対の定着ローラ間を通過する記録媒体を加圧及び加熱することにより、感光体によって記録媒体上に転写されたトナー像を記録媒体に固着させる。
【０００３】
上記定着装置には、加熱部を主発熱体と補助発熱体とから構成するとともに、主発熱体に電力を供給する主電源装置、及び補助発熱体に電力（補助電力）を供給するとともに電気二重層キャパシタを電源とする補助電源装置を備えたものである。このような定着装置は、被加熱体（加熱ローラ）の温度を検出するセンサを備え、当該センサによって検出された加熱ローラの温度に基づいて定着装置への補助電源装置からの電力供給をＯＮ／ＯＦＦ制御することにより加熱ローラの温度を所定温度に調整する。
【０００４】
一方、この種の技術分野に関連する技術文献として、例えば下記特許文献１，２がある。特許文献１には、主電源装置と補助電源装置とを有する定着装置において、該定着装置を待機状態から立ち上げるときに、主電源装置と補助電源装置とにより前記ヒータに電力を供給する技術が開示されている。また、特許文献２には、待機状態のときに、補助電源装置から電力を供給する技術が開示されている。
【特許文献１】特許第３５８８００６号公報
【特許文献２】特開２００４−２６６９８４号公報
【発明の開示】
【発明が解決しようとする課題】
【０００５】
ところで、前記補助電源装置においては、供給可能電力が大きいほど定着装置の立ち上げ時間を短縮化することができる。
【０００６】
しかしながら、大きな供給電力を供給できる能力を製造当初から製品に搭載した場合、電気二重層キャパシタは高価なものであるため、定着装置、延いては画像形成装置のコストアップを招来し、定着装置の立ち上げ時間の短縮化を特に要求しないユーザにとっては、経済的な負担が増加するとともに、前述のような能力が無駄になる。したがって、定着装置の立ち上げ時間の短縮化を要求するユーザに対してのみ、前記能力を提供できる態様が好ましい。
【０００７】
この点に鑑みて、電気二重層キャパシタをより高い能力を有するものに一括交換する構成とした場合には、交換前の電気二重層キャパシタが未だ使用できるものであっても、該キャパシタがそれ以降利用されないものとして取り外されるため、資源の無駄が生じ得ることとなり、その分、コストアップを招来する虞がある。なお、前記引用文献１，２には、この点に関する開示はない。
【０００８】
本発明は、上述した問題点を解決するためになされたものであり、製造当初から搭載されているキャパシタを無駄にすることなく、定着装置の立ち上げ時間の短縮化を要求するユーザに対してのみ、補助電源装置の電力供給能力を増大できる定着装置及び画像形成装置を提供することを目的とする。
【課題を解決するための手段】
【０００９】
請求項１に記載の発明は、第１のキャパシタを有する蓄電装置と、トナーを記録紙へ定着させる定着部を外部電源からの電力で駆動させる第１定着ヒータ及び前記定着部を前記蓄電装置からの電力で駆動させる第２定着ヒータと、前記蓄電装置と前記第２定着ヒータとの間に設置されたコンバータとを備えた定着装置であって、前記蓄電装置に備えられる一対の端子間に着脱可能に構成された第２のキャパシタを有し、前記蓄電装置は、前記一対の端子を短絡する第１の状態と、前記一対の端子間の短絡状態が解除され、且つ前記第２のキャパシタが前記蓄電装置の前記一対の端子間に装着されることにより、前記第１のキャパシタと第２のキャパシタとの直列回路により前記第２定着ヒータに電力を供給する第２の状態とを採り得るように構成されているものである。
【００１０】
この発明によれば、蓄電装置に備えられる一対の端子に着脱可能に構成された第２のキャパシタを有し、蓄電装置は、前記一対の端子を短絡する第１の状態と、前記一対の端子間の短絡状態が解除され、且つ第２のキャパシタが前記一対の端子間に装着されることにより前記第１のキャパシタと第２のキャパシタとの直列回路により前記第２定着ヒータに電力を供給する第２の状態とを採り得るように構成したので、定着装置の立ち上げ時間の短縮化や維持を求める場合には、前記一対の端子に第２のキャパシタを装着することによりキャパシタを追加し、求めない場合には、前記一対の端子を短絡した状態を維持するという選択をユーザが行うことができる。
【００１１】
請求項２に記載の発明は、請求項１に記載の定着装置において、前記コンバータは、前記蓄電装置の出力に応じて当該コンバータの出力を制御する出力制御手段を備えるものである。
【００１２】
この発明によれば、コンバータは、前記蓄電装置の出力に応じて当該コンバータの出力を制御する出力制御手段を備えるので、蓄電装置にキャパシタ（第２のキャパシタ）を増設しても、第２定着ヒータへの出力電圧を一定にすることが可能となる。したがって、蓄電装置にキャパシタ（第２のキャパシタ）を増設しても、第２定着ヒータとして、より定格電力の大きなものに交換する必要がなくなる。
【００１３】
請求項３に記載の発明は、請求項１または２に記載の定着装置において、前記一対の端子を短絡するハーネスが該一対の端子に対して着脱可能に構成されており、前記蓄電装置は、前記一対の端子に、前記ハーネス及び前記第２のキャパシタを択一的に装着可能に構成されているものである。
【００１４】
この発明によれば、定着装置の立ち上げ時間の短縮化や維持を要求するユーザに対してのみ、補助電源装置の電力供給能力を増大できる定着装置を簡単な構成で実現することができる。
【００１５】
請求項４に記載の発明は、用紙に対して画像データに基づく画像形成動作を行う画像形成部と、前記画像形成部による画像形成動作後の用紙に対して、前記用紙に付着するトナーを該用紙に定着させる前記請求項１ないし３のいずれかに記載の定着装置とを備える画像形成装置である。
【００１６】
この発明によれば、画像形成装置において、前記請求項１ないし３のいずれかに記載の発明による作用が得られる。
【発明の効果】
【００１７】
本発明によれば、定着装置の立ち上げ時間の短縮化や維持を求める場合には、前記一対の端子に第２のキャパシタを装着するという態様でキャパシタを追加できるようにしたので、製造当初から搭載されているキャパシタを無駄にすることなく、延いてはコストアップを抑制しつつ、定着装置の立ち上げ時間の短縮化や維持を要求するユーザに対してのみ、補助電源装置の電力供給能力を増大できる定着装置及び画像形成装置を実現することができる。
【発明を実施するための最良の形態】
【００１８】
以下、本発明の一実施形態に係る画像形成装置を図面に基づいて説明する。図１は、本発明の一実施形態に係る画像形成装置の一例である複合機の内部構成を概略的に示す側面図である。複合機１は、コピー機能、プリンタ機能、スキャナ機能及びファクシミリ機能等の機能を兼ね備えたものである。この複合機１は、本体部２と、本体部２の左方に配設されたスタックトレイ３と、本体部２の上部に配設された原稿読取部５と、原稿読取部５の上方に配設された原稿給送部６とを有している。
【００１９】
また、複合機１のフロント部には、操作部４７が設けられている。この操作部４７には、ユーザが印刷実行指示を入力するためのスタートキー４７１と、印刷部数等を入力するためのテンキー４７２と、各種複写動作の操作ガイド情報等を表示し、これら各種設定入力用にタッチパネル機能を有する液晶ディスプレイ等からなる表示部４７３と、表示部４７３で設定された設定内容等をリセットするリセットキー４７４と、実行中の印刷（画像形成）動作を停止させるためのストップキー４７５と、コピー機能、プリンタ機能、スキャナ機能及びファクシミリ機能を切り換えるための機能切換キー４７７が備えられている。
【００２０】
原稿読取部５は、ＣＣＤ(Charge Coupled Device)センサ及び露光ランプ等からなるスキャナ部５１と、ガラス等の透明部材により構成された原稿台５２及び原稿読取スリット５３とを備える。スキャナ部５１は、図略の駆動部によって移動可能に構成され、原稿台５２に載置された原稿を読み取るときは、原稿台５２に対向する位置で原稿面に沿って移動され、原稿画像を走査しつつ取得した画像データを制御部１０（図２）へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを制御部１０へ出力する。
【００２１】
原稿給送部６は、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出するための給紙ローラ（図略）、搬送ローラ（図略）等からなる原稿搬送機構６３を備える。原稿搬送機構６３は、さらに原稿を表裏反転させて原稿読取スリット５３と対向する位置へ再搬送する用紙反転機構（図略）を備え、原稿の両面の画像を原稿読取スリット５３を介してスキャナ部５１から読取可能にしている。
【００２２】
また、原稿給送部６は、その前面側が上方に移動可能となるように本体部２に対して回動自在に設けられている。原稿給送部６の前面側を上方に移動させて原稿台５２上面を開放することにより、原稿台５２の上面に読み取り原稿、例えば見開き状態にされた書籍等を操作者が載置できるようになっている。
【００２３】
本体部２は、複数の給紙カセット４６１と、給紙カセット４６１から記録紙を１枚ずつ繰り出して記録部４０へ搬送する給紙ローラ４６２と、給紙カセット４６１から搬送されてきた記録紙に画像を形成する記録部４０とを備える。
【００２４】
記録部４０は、スキャナ部５１で取得された画像データに基づきレーザ光等を出力して感光体ドラム４３を露光する光学ユニット４２と、感光体ドラム４３上にトナー像を形成する現像部４４と、感光体ドラム４３上のトナー像を記録紙に転写する転写部４１と、トナー像が転写された記録紙を加熱してトナー像を記録紙に定着させる定着装置７（図２参照、図１には、定着ローラ７３のみ図示）と、記録部４０内の用紙搬送路中に設けられ、記録紙をスタックトレイ３又は排出トレイ４８まで搬送する搬送ローラ４６３，４６４等とを備える。
【００２５】
また、記録紙の両面に画像を形成する場合は、記録部４０で記録紙の一方の面に画像を形成した後、この記録紙を排出トレイ４８側の搬送ローラ４６３にニップされた状態とする。この状態で搬送ローラ４６３を反転させて記録紙をスイッチバックさせ、記録紙を用紙搬送路４９に送って記録部４０の上流域に再度搬送し、記録部４０により他方の面に画像を形成した後、記録紙をスタックトレイ３又は排出トレイ４８に排出する。
【００２６】
図２は、複合機１に備えられる定着装置７及び周辺の内部構成を示す概略図である。定着装置７は、第１電源スイッチ７１と、補助電源ユニット７２と、定着ローラ７３と、補助電源スイッチ７４と、充電スイッチ７５とを備えている。
【００２７】
定着ローラ７３は、記録紙に圧力を付与する圧ローラと、記録紙に熱を付与する熱ローラとを有し、これら両ローラにより記録紙を圧接状態で挟みこんで当該記録紙上のトナー像を記録紙に定着させる。定着ローラ７３の熱ローラ内に加熱用の定着ヒータ７３０が設けられている。図２では、特に定着ヒータ７３０部分を示している。定着ヒータ７３０は、第１定着ヒータ７３１と、第２定着ヒータ７３２とを有している。第１定着ヒータ７３１は、交流の商用電源８（外部電源）から供給される電力で発熱するハロゲンヒータである。第２定着ヒータ７３２は、補助電源ユニット７２から供給される電力で発熱するハロゲンヒータである。
【００２８】
第１電源スイッチ７１は、商用電源８と第１定着ヒータ７３１との間に設けられており、商用電源８からのＡＣ100Vの電力を第１定着ヒータ７３１に供給するか否か、すなわち、第１定着ヒータ７３１を駆動（発熱）させるか否かを切り換える開閉スイッチである。第１電源スイッチ７１は、複合機１の全体動作の制御を司る制御部１０から入力される開閉信号に基づいて、上記商用電源８からのＡＣ100Vの電力供給をオン又はオフする。
【００２９】
補助電源スイッチ７４は、補助電源ユニット７２と第２定着ヒータ７３２の間に設けられており、補助電源ユニット７２からの電力を第２定着ヒータ７３２に供給するか否か、すなわち、第２定着ヒータ７３２を駆動（発熱）させるか否かを切り換える開閉スイッチである。補助電源スイッチ７４は、上記制御部１０から入力される開閉信号に基づいて、補助電源ユニット７２からの電力供給をオン又はオフする。
【００３０】
充電スイッチ７５は、商用電源８と補助電源ユニット７２との間に設けられており、商用電源８からの電力を補助電源ユニット７２に供給するか否かを切り換える開閉スイッチである。充電スイッチ７５も、上記制御部１０から入力される開閉信号に基づいて、上記商用電源８からの電力供給をオン又はオフする。制御部１０は、複合機１のスリープモード実行時（印刷待機時）や、主電源オフ時等、複合機１において商用電源８の電力使用量が少ないときに、充電スイッチ７５をオンにして、充電装置７２１及び蓄電装置７２２による充電を行わせる。
【００３１】
補助電源ユニット７２は、第２定着ヒータ７３２に電力を供給するために商用電源８の補助的電源として設けられている。補助電源ユニット７２は、充電装置７２１と、蓄電装置７２２と、放電装置７２３とを備える。
【００３２】
充電装置７２１は、蓄電装置７２２を充電するためのＡＣ／ＤＣコンバータであり、交流電力である商用電源８のＡＣ100Vを整流した電流を蓄電装置７２２に出力する。
【００３３】
蓄電装置７２２は、電気二重層キャパシタ７２２ａ等から構成され、充電装置７２１からの電流を電荷として電気二重層キャパシタ７２２ａに充電する一方、当該電気二重層キャパシタ７２２ａに充電された電荷を放電し、放電電流として放電装置７２３に出力する。
【００３４】
放電装置７２３は、蓄電装置７２２から出力される電圧を入力電圧として、当該入力電圧を、負荷である第２定着ヒータ７３２に適した所定の電圧まで昇圧し、この昇圧した電力を第２定着ヒータ７３２に供給するものである。放電装置７２３は、絶縁型のトランスによって入力側と出力側とが絶縁された絶縁型ＤＣ／ＤＣコンバータである。
【００３５】
制御部１０は、複合機１の全体動作の制御を司るものである。制御部１０は、第１電源スイッチ７１と、補助電源スイッチ７４と、充電スイッチ７５のそれぞれのオン及びオフを切り換え制御する。制御部１０は、所定のタイミングで放電装置７２３を駆動させ、第２定着ヒータ７３２に供給する電力を、当該放電装置７２３により出力電圧が変換された蓄電装置７２２からの電力に切り換える。
【００３６】
続いて、放電装置７２３の構成を説明する。図３は、放電装置７２３の概略構成と、蓄電装置７２２及び第２定着ヒータ７３２との接続関係を示す回路図である。
【００３７】
図３に示すように、放電装置７２３は、トランス７２３ａ、ＭＯＳトランジスタ７２３ｂ、ＰＷＭコントローラ７２３ｃ、及び平滑回路７２３ｄを備える。
【００３８】
トランス（絶縁型コンバータの一例）７２３ａは、絶縁型のトランスであり、第２定着ヒータ７３２で必要な電圧を発生させるのに適した巻数比とされた一次巻線と二次巻線とからなる。トランス７２３ａの一次巻線の一端は、蓄電装置７２２の一端（＋電圧側）に接続され、一次巻線の他端がＭＯＳトランジスタ７２３ｂのドレイン端子に接続されている。また、トランス７２３ａの二次巻線の両端は、平滑回路７２３ｄに接続されている。
【００３９】
ＭＯＳトランジスタ７２３ｂは、蓄電装置７２２から入力された放電電流をスイッチングするためのものである。ＭＯＳトランジスタ７２３ｂは、上述したように、ドレイン端子がトランス７２３ａの一次巻線の上記他端側に接続され、ソース端子が蓄電装置７２２の他端（−電圧側）に接続され、ゲート端子がＰＷＭコントローラ７２３ｃに接続されている。以上の構成により、トランス７２３ａの一次側は蓄電装置７２２に接続されて、トランス７２３ａには蓄電装置７２２からの電力が出力されるようになっている。
【００４０】
ＰＷＭコントローラ７２３ｃは、制御部１０から、放電装置７２３を駆動させるオン信号を受けた場合に、放電装置７２３に蓄電装置７２２からの電力が供給され、また、制御部１０から、放電装置７２３を駆動停止させるオフ信号を受けた場合に、放電装置７２３に蓄電装置７２２からの電力供給が停止されるように、ＭＯＳトランジスタ７２３ｂのスイッチング動作を制御する。
【００４１】
また、ＰＷＭコントローラ７２３ｃは、平滑回路７２３ｄから補助電源電圧として出力される電圧が予め定められた一定値となるようにＰＷＭ信号を生成し、当該ＰＷＭ信号をＭＯＳトランジスタ７２３ｂのゲート端子に供給することにより、ＭＯＳトランジスタ７２３ｂのスイッチング動作を制御する。これにより、蓄電装置７２２の電気二重層コンデンサの充電電圧が放電により徐々に低下し、放電装置７２３の入力電圧が低下しても、第２定着ヒータ７３２の駆動電圧が一定値に保持され、第２定着ヒータ７３２の発熱が安定化される。ＰＷＭコントローラ７２３ｃは、前記出力制御手段に相当する。
【００４２】
平滑回路７２３ｄは、図３に示す接続でなるダイオードＤ１，Ｄ２、コイルＬ及びコンデンサＣを備え、トランス７２３ａの二次巻線から供給される二次巻線電圧を平滑化して補助電源電圧として出力する。平滑回路７２３ｄの出力端の一方は、トランス７２３ａの一次巻線の一端と同様に、蓄電装置７２２の一端（＋電圧側）に接続されている。ダイオードＤ２には、第２定着ヒータ７３２の駆動初期時に発生する突入電流で破損しないように、瞬間耐圧を有するものが用いられる。また、平滑回路７２３ｄの出力端の他方側と、蓄電装置７２２の−電圧側とが、第２定着ヒータ７３２に接続されている。
【００４３】
すなわち、補助電源ユニット７２は、トランス７２３ａによって入力側（一次側）と出力側（二次側）とが絶縁された放電装置７２３を備え、放電装置７２３の一次側が蓄電装置７２２に接続される一方、二次側の一端が蓄電装置７２２に接続され、当該二次側の他端が第２定着ヒータ７３２に接続されているので、補助電源ユニット７２の電源出力端における補助電源電圧は、蓄電装置７２２の充電電圧と、放電装置７２３の出力電圧とを合算した（重畳させた）電圧となる。
【００４４】
次に、本実施形態における補助電源ユニット７２のより具体的な構成について説明する。
【００４５】
本実施形態の補助電源ユニット７２においては、工場出荷時（製造当初）に蓄電装置７２２に搭載される電気二重層キャパシタ７２２ａ（前記第１のキャパシタに相当）に加えて、さらなる定着装置７の立ち上げ時間の短縮化を求めるユーザの要求を満たすべく、電気二重層キャパシタ７２２ｂ（前記第２のキャパシタに相当：図４参照）が増設可能となっており、この電気二重層キャパシタ７２２ｂは、複合機１のオプションとして蓄電装置７２２に着脱可能に構成されている。
【００４６】
すなわち、図４（ａ）に示すように、前記オプションの電気二重層キャパシタ７２２ｂが蓄電装置７２２に装着される前の通常の状態においては、元来設置されている電気二重層キャパシタ７２２ａの−側端子Ｔ２と、補助電源スイッチ７４の第２定着ヒータ７３２と接続される端子と反対側の端子Ｔ３とがハーネスにより短絡されている。端子Ｔ２，Ｔ３は、前記一対の端子に相当する。
【００４７】
また、オプションの電気二重層キャパシタ７２２ｂを当該蓄電装置７２２に装着する場合には、ユーザは前記ハーネスを前記端子Ｔ２，Ｔ３から取り外すと共に、前記オプションの電気二重層キャパシタ７２２ｂにおける一方の端子ａと前記端子Ｔ２とを、該電気二重層キャパシタ７２２ｂにおける他方の端子ｂと前記端子Ｔ３とをそれぞれ接続する作業を行う。これにより、図４（ｂ）に示すように、元来設置されている電気二重層キャパシタ７２２ａと、前記オプションの電気二重層キャパシタ７２２ｂとが第２定着ヒータ７３２に対して直列に接続されることとなり、補助電源電圧が増大され、定着装置７をより短時間で立ち上げたり、元来設置されている電気二重層キャパシタ７２２ａの性能が劣化した場合に、その性能劣化を補って該性能を当該複合機１の製造当初の性能に維持したりことができる。
【００４８】
ここで、前述したように、絶縁型ＤＣ／ＤＣコンバータで構成された放電装置７２３は、ＰＷＭコントローラ７２３ｃによって、第２定着ヒータ７３２に供給する電圧を一定に保つように、当該放電装置７２３の出力電圧を蓄電装置７２２の出力電圧に応じて変化させるため、オプションの電気二重層キャパシタ７２２ｂの装着（電気二重層キャパシタの増設）によって補助電源電圧を増大しても、第２定着ヒータ７３２としてより定格出力（定格電圧）の大きなものに変更する必要性が生じない。
【００４９】
すなわち、仮に、前記放電装置７２３が第２定着ヒータ７３２に供給する電圧を一定に保つ機能を有していない場合、第２定着ヒータ７３２に印加される電圧は、電気二重層キャパシタの増設により増大する補助電源電圧の増大分だけ増大することとなる。ここで、その電圧が第２定着ヒータ７３２の定格電圧を超えるときには、より定格電圧の大きな第２定着ヒータ７３２への交換が必要となる。しかしながら、本実施形態では、第２定着ヒータ７３２に供給する電圧が一定に保たれるため、その必要がない。
【００５０】
以上のように、本件においては、より定格出力の大きなヒータへの交換を要することなく、また、未だ利用できる電気二重層キャパシタを無駄にすることなく（コストアップを可及的に抑制しつつ）、定着装置７のより急速な立ち上げを求めるユーザのみに対して、補助電源電圧を増大できるオプションを提供することができる。
【００５１】
また、前記オプションの電気二重層キャパシタ７２２ｂが蓄電装置７２２に装着される前の通常の状態においては、前記端子Ｔ２，Ｔ３をハーネスにより短絡し、前記電気二重層キャパシタ７２２ｂを当該蓄電装置７２２に装着する場合には、ユーザはそのハーネスを端子Ｔ２，Ｔ３から取り外して、電気二重層キャパシタ７２２ｂの端子ａ，ｂを前記端子Ｔ２，Ｔ３に接続する構成としたので、定着装置７の立ち上げ時間の短縮化や維持を要求するユーザに対してのみ補助電源電圧を増大できる構成を、比較的簡単な構成で実現することができる。
【００５２】
なお、本件は前記複合機だけでなく、複写機やファクシミリ装置等の画像形成装置にも適用可能である。
【図面の簡単な説明】
【００５３】
【図１】本発明の一実施形態に係る画像形成装置の一例である複合機の内部構成を概略的に示す側面図である。
【図２】複合機に備えられる定着部及び周辺の内部構成を示す概略図である。
【図３】昇圧装置の概略構成と、蓄電装置及び第２定着ヒータとの接続関係を示す回路図である。
【図４】補助電源ユニットの特徴部分の説明図である。
【符号の説明】
【００５４】
１    複合機
５    原稿読取部
６    原稿給送部
７    定着装置
７１  電源スイッチ
７２  補助電源ユニット
７３  定着ローラ
７４  補助電源スイッチ
７５  充電スイッチ
７２１  充電装置
７２２  蓄電装置
７２２ａ，７２２ｂ  電気二重層キャパシタ
７２３  放電装置
７２３ｃ  ＰＷＭコントローラ
７３０  定着ヒータ
７３１，７３２  第１、第２定着ヒータ
【図１】
2008033156.tif 000003
【図２】
2008033156.tif 000004
【図３】
2008033156.tif 000005
【図４】
2008033156.tif 000006